(57)【要約】      （修正有）【課題】簡単に指が挿入できず、人身事故を起こさないシュレッダー等の安全投入口を提供する。【解決手段】シュレッダー本体１の複数の破断刃２に破砕目的で挿入される廃棄紙又はその他の廃棄物３の、破断挿入口４に届くまでに一定長さと厚み巾の間隔を持った破断案内挿入口５を装着した。【選択図】図１
2008049325.tif 000002
【特許請求の範囲】
【請求項１】
シュレッダー本体（１）に装着の複数の破断刃（２）に、破砕目的で挿入される廃棄紙又はその他の廃棄物（３）の破断挿入口（４）に届く迄に一定長さと厚み巾の間隙を持った破断案内挿入口（５）が装着された、シュレッダー等の安全投入口。
【請求項２】
破断案内挿入口（５）がシュレッダー本体（１）の上面に対して垂直或は垂直に近い任意の角度で固定装着された、シュレッダー等の安全投入口。
【請求項３】
破断案内挿入口（５）がシュレッダー本体（１）の上面に対して垂直或は任意の角度の可動状態で装着された、シュレッダー等の安全投入口。
【請求項４】
破断案内挿入口（５）がシュレッダー本体（１）の上面に対して水平又は任意の角度で固定装着され、複数の破断刃（２）の配列を垂直或は近似値に構成した、シュレッダー等の安全投入口。
【発明の詳細な説明】
【技術分野】
【０００１】  情報管理の現代、企業のノウハウを含めた種々の情報管理、それにもまして個人情報保護法の施行で、昨今はシュレッダーが家庭内にまで普及し、単なる使いかっての観点から、破断挿入口の挿入厚み幅に指先の挿入可能な機種間であり乳幼児を含めた事故多発の傾向が有る。
【背景技術】
【０００２】  乳幼児を含めた人類の安全確保が全世界的に叫ばれている中で、情報管理の目的で、家庭或は職場に装着されている廃棄紙又はその他の廃棄物の破断処理目的の破断挿入口の開口部の挿入厚み幅に指先の挿入で種々の人身事故が頻発しており、これを回避する為に破断挿入口の挿入厚み幅を極端に薄くして、使用上の困難差をかもし出している。【０００３】  又、シュレッダー本体の破断挿入口に、子供心の悪戯で、中太の針金を挿入し、挿入された針金の破断接触で、他の先端が数十ｃｍ２もの距離で振れて、あわや失明かと思われる事故寸前の経験もある事は危険極まりないシュレッダーが市中に氾濫している。
【発明の開示】
【０００４】現状のシュレッダー投入口の形状
製造社、アイリスオーヤマ株式会社製、型式「ＳＣＡ−４１０Ｄ］
【発明が解決しようとする課題】
【０００５】  当然ながら、シュレッダー本体の破断挿入口の挿入厚み幅を、極端に薄くすれば指の挿入事故は無くなるかもしれないが、想定可能な事故回避の安全性が全くなされておらず、単なる使い勝手のみで、シュレッダー本体の破断挿入口の厚み巾を必要以上に広げて、乳幼児等の指切断事故まで発生している。
【０００６】  現状各商品では、その安全性確保の為に、シュレッダー本体の破断挿入口の厚み巾を極端に薄くしているが、廃棄紙又はその他の廃棄物が少量で、一枚毎の破断処理ならば良いが、一寸まとまれば使い勝手が悪い事と。しわくちゃ紙の投入は困難である。
【課題を解決するための手段】
【０００７】  第一には、廃棄紙又はその他の廃棄物の破断挿入口に届く迄に一定長さと厚み巾の間隙を持った破断案内挿入口を装着する事である。
【０００８】  シュレッダー本体の破断挿入口の開口部あ厚み巾間隙は一定の余裕巾でなければ使用上で不便となる理由は、廃棄紙又はその他の廃棄物の全てが完全な平面でなく、時には丸めて捨てようとした物を再度広げてシュレッダーにかける事も有からである。
【０００９】  次に、その破断案内挿入口の形状であるが、シュレッダー本体の上に突出又は格納位置で、垂直或は任意の角度で固定装着される事によって、シュレッダー本体の破断挿入口の開口部厚み巾間隙は一定の余裕巾を、持たせ、安全に使用可能とすべきである。
【００１０】  破断物の収容容積の確保の為に、破断案内挿入口がシュレッダー本体の上に突出して垂直或は任意の角度で装着される場合は、破断案内挿入口の下部がシュレッダー本体と水平に倒れる可動状態で装着される事によって、使わない時には倒し、倒した時には電源オフになり、シュレッダー本体の破断挿入口が露出しない球状ジョイント構造が条件となる。
【００１１】シュレッダー本体に装着の複数の破断刃の配列を水平配列から垂直に近い配列に変えれば、破断案内挿入口がシュレッダー本体の上に水平又は任意の角度で固定装着され、形状的にもコンパクトで破断案内挿入口の上部囲いのみで掲載可能な上、紙詰まりの場合には、蝶番開閉で装着すれば、如何なる手入れも自由に出来る。
【発明の効果】
【００１２】  家庭或は職場に装着されている廃棄紙又はその他の廃棄物のシュレッダーによる破断処理目的は、情報管理による情報消滅と同時に最も重要な事は、使用上の安全性と便利性である。
【００１３】  単に危険性回避のみの理由で破断挿入口を狭く絞る事は、一定の枚数或は屈曲ある紙等では挿入するに当たって細かい手間を要し使用に値しないが、破断刃への挿入で、乳幼児でも指が届かない一定の安全寸法の破断案内挿入口の装着により、シュレッダー本体の破断挿入口の開口厚み間隙は自由に採れ、使用上の問題点は従来のどれよりも優位である。
【００１４】  しかも、シュレッダー本体の形状構造の差には関係なく、種々の形態の破断案内挿入口の装着で、機能性は全く変わらずに、安全性を確保するものである。
【発明の実施するための最良の形態】
【００１５】「請求項１」は、シュレッダー本体（１）に装着の複数の破断刃（２）に平行し複数の破砕刃（２）間に、廃棄紙又はその他廃棄物（３）が直角方向に挿入可能な角度で破断挿入口（４）が十分な広さで開口され、破断挿入口（４）に連結された一定長さと厚み巾の間隙を持った破断案内挿入口（５）が装着された、シュレッダーの安全投入口である。
【００１６】  破断案内挿入口（５）の形状は、絶対的平面で乃至はしわの廃棄紙、或は種々の形状の廃棄紙又はその他廃棄物（３）も楽に挿入可能なようにラッパ挿入形状で、安全の為に指や掌厚みを考慮して、破断案内挿入口（５）の途中開口部位の厚みや各破砕刃（２）迄の距離を確定する事により、安全性の向上は比較にならないほど向上し、同時に使用感覚も従来以上のシュレッダーとなる。
【００１７】  何れの機種にも装填する種々形状の破断案内挿入口（５）は、紙詰まり撤去解除が可能な様に、破断案内挿入口（５）の位置部位壁が開放になる様な構成とした。
【００１８】  同時に、破断案内挿入口（５）に挿入口蓋つきもあり、或は転倒格納方式も有り、何れも安全の為の自動発停スイッチをも装着した。
【００１９】  「請求項２」は、破断案内挿入口（５）がシュレッダー本体（１）の上面に対して垂直或は任意の角度で固定装着された物であるが、破断案内挿入口（５）が突出して形状的或は外部衝撃破損故障要因等の危険性がある場合は、シュレッダー本体（１）内の複数の破砕刃（２）の位置変更でシュレッダー本体（１）内に埋め込めば、破砕物の貯留容積の問題だけで、安全に使用可能である。
【００２０】「請求項３」は、破断案内挿入口（５）がシュレッダー本体（１）の上に垂直或は任意の角度の可動状態で装着された物であるが、使用しない場合はシュレッダー本体（１）上面に倒して格納し、特には倒した最終形態がシュレッダー本体（１）に埋没して上面がフラットになれば、外部要因での破損も解消する。
【００２１】「請求項４」は、破断案内挿入口（５）がシュレッダー本体（１）の上に水平又は任意の角度で固定装着された物であり、従って廃棄紙又はその他廃棄物（３）がシュレッダー本体（１）の上面に対して水平に近い方向にすべらせて挿入する。この場合には、複数の破砕刃（２）のシュレッダー本体（１）内の組み合わせ設置構成が、上下垂直対称或はそれに近い配列になるが、機能性には全く影響が無い。
【図面の簡単な説明】
【００２２】
【図１】  シュレッダー本体（１）に、破断案内挿入口（５）が垂直に装着された、安全投入口装着シュレッダーの斜視図、一部透視図である。
【図２】  シュレッダー本体（１）に、破断案内挿入口（５）が垂直に近い任意の角度で装着された、シュレッダー本体内に埋め込まれた、安全投入口装着シュレッダーの斜視図、一部透視図である。
【図３】  シュレッダー本体（１）に、破断案内挿入口（５）が垂直に近い任意の角度と同時に転倒格納構成で装着された、安全投入口装着シュレッダーの斜視図、一部透視図である。
【図４】  シュレッダー本体（１）に、破断案内挿入口（５）が水平に装着された、安全投入口装着シュレッダーの斜視図、一部透視図である。視図、一部透視図である。
【符号の説明】
【００２３】  １    シュレッダー本体
２    複数の破断刃
３    廃棄紙又はその他の廃棄物
４    破断挿入口
５    破断案内挿入口
【図１】
2008049325.tif 000003
【図２】
2008049325.tif 000004
【図３】
2008049325.tif 000005
【図４】
2008049325.tif 000006